(57)【特許請求の範囲】
【請求項１】
上方に向けて開口した状態において下方から上方に行くにつれて後方の側に傾斜した収容部を有した第１収容ユニットと、
前記第１収容ユニットの後部に連結された第２収容ユニットと、
前記第２収容ユニットに設けられ、吸引風を発生させる電動送風機と、
前記第１収容ユニットの収容部に着脱自在に収容され、前記電動送風機が発生させた吸引風により吸引された含塵空気から塵埃を分離して捕集する集塵ユニットと、
前記第２収容ユニットに設けられ、前記第１収容ユニットの収容部の内面に沿って前記第１収容ユニットの収容部の上方において下方から上方に行くにつれて後方の側に傾斜したガイド部を有したハンドルと、
前記集塵ユニットの上部における前記ガイド部の側に設けられ、前記集塵ユニットの上部と前記ガイド部の基部との連結および連結の解放を行い得るように形成された連結体と、
前記連結体に連結され、前記集塵ユニットの上部において前記連結体よりも前記ガイド部から離れた位置で露出した操作部を有し、前記操作部が前記ガイド部から離れる方向に操作された際に前記連結体を前記ガイド部との連結から解放する操作体と、
前記集塵ユニットの上部において前記ガイド部とは反対側で前記操作体の上方に設けられ、前記ガイド部とは反対側に突き出した持ち手と、
を備えた電気掃除機。
【請求項２】
前記ガイド部は、前記集塵ユニットにおける前記第２収容ユニットの側の面の形状に合わせて形成された請求項１に記載の電気掃除機。
【発明の詳細な説明】
【技術分野】
【０００１】
この発明は、電気掃除機に関する。
【背景技術】
【０００２】
特許文献１は、電気掃除機を開示する。当該電気掃除機において、集塵ユニットは、収容ユニットの収容部に収容される。
【先行技術文献】
【特許文献】
【０００３】
【特許文献１】特開２０１４−２８３２０号公報
【発明の概要】
【発明が解決しようとする課題】
【０００４】
しかしながら、当該電気掃除機においては、集塵ユニットの下部が収容ユニットの収容部の上部に収容されるまで、集塵ユニットの位置が決まらない。このため、集塵ユニットの取り付けが容易でない。
【０００５】
この発明は、上述の課題を解決するためになされた。この発明の目的は、集塵ユニットを容易に取り付けることができる電気掃除機を提供することである。
【課題を解決するための手段】
【０００６】
この発明に係る電気掃除機は、上方に向けて開口した状態において下方から上方に行くにつれて後方の側に傾斜した収容部を有した第１収容ユニットと、前記第１収容ユニットの後部に連結された第２収容ユニットと、前記第２収容ユニットに設けられ、吸引風を発生させる電動送風機と、前記第１収容ユニットの収容部に着脱自在に収容され、前記電動送風機が発生させた吸引風により吸引された含塵空気から塵埃を分離して捕集する集塵ユニットと、前記第２収容ユニットに設けられ、前記第１収容ユニットの収容部の内面に沿って前記第１収容ユニットの収容部の上方において下方から上方に行くにつれて後方の側に傾斜したガイド部を有したハンドルと、前記集塵ユニットの上部における前記ガイド部の側に設けられ、前記集塵ユニットの上部と前記ガイド部の基部との連結および連結の解放を行い得るように形成された連結体と、前記連結体に連結され、前記集塵ユニットの上部において前記連結体よりも前記ガイド部から離れた位置で露出した操作部を有し、前記操作部が前記ガイド部から離れる方向に操作された際に前記連結体を前記ガイド部との連結から解放する操作体と、前記集塵ユニットの上部において前記ガイド部とは反対側で前記操作体の上方に設けられ、前記ガイド部とは反対側に突き出した持ち手と、を備えた。
【発明の効果】
【０００７】
この発明によれば、ハンドルのガイド部は、第１収容ユニットの収容部の内面に沿って第１収容ユニットの収容部の上方に設けられる。集塵ユニットは、ガイド部に沿って第１収容部の収容部に挿入される。このため、集塵ユニットを容易に取り付けることができる。
【図面の簡単な説明】
【０００８】
【図１】この発明の実施の形態１における電気掃除機の斜視図である。
【図２】この発明の実施の形態１における電気掃除機の本体の側面図である。
【図３】この発明の実施の形態１における電気掃除機の本体の平面図である。
【図４】この発明の実施の形態１における電気掃除機の本体の縦断面図である。
【図５】この発明の実施の形態１における電気掃除機の第１収容ユニットと第２収容ユニットとの斜視図である。
【図６】この発明の実施の形態１における電気掃除機の集塵ユニットの斜視図である。
【図７】この発明の実施の形態１における電気掃除機の第１収容ユニットと第２収容ユニットと集塵ユニットとの斜視図である。
【図８】この発明の実施の形態１における電気掃除機の第１収容ユニットと第２収容ユニットと集塵ユニットとの縦断面図である。
【図９】この発明の実施の形態１における電気掃除機の本体の要部の縦断面図である。
【図１０】この発明の実施の形態１における電気掃除機の集塵ユニットの分解斜視図である。
【図１１】この発明の実施の形態１における電気掃除機の集塵ユニットの縦断面図である。
【図１２】この発明の実施の形態１における電気掃除機の集塵ユニットの斜視図である。
【図１３】図１２のＡ部の拡大図である。
【図１４】この発明の実施の形態１における電気掃除機の集塵ユニットの要部の横断面図である。
【図１５】この発明の実施の形態１における電気掃除機の集塵ユニットの要部の横断面図である。
【図１６】この発明の実施の形態１における電気掃除機の集塵ユニットの要部の斜視図である。
【図１７】この発明の実施の形態１における電気掃除機の集塵ユニットの要部の分解斜視図である。
【図１８】この発明の実施の形態１における電気掃除機の集塵ユニットの要部の横断面図である。
【図１９】この発明の実施の形態１における電気掃除機の集塵ユニットの要部の横断面図である。
【図２０】この発明の実施の形態１における電気掃除機の集塵ユニットの縦断面図である。
【図２１】この発明の実施の形態１における電気掃除機の排出部ケースと端面ケースとの側面図である。
【図２２】この発明の実施の形態１における電気掃除機の排出部ケースと端面ケースとの側面図である。
【図２３】この発明の実施の形態１における電気掃除機の排出部ケースの平面図である。
【図２４】この発明の実施の形態１における電気掃除機の集塵ユニットの側面図である。
【図２５】この発明の実施の形態１における電気掃除機の集塵ユニットの側面図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における電気掃除機の斜視図である。図２はこの発明の実施の形態１における電気掃除機の本体の側面図である。図３はこの発明の実施の形態１における電気掃除機の本体の平面図である。図４はこの発明の実施の形態１における電気掃除機の本体の縦断面図である。
【００１１】
図１に示すように、電気掃除機１は、吸込口体２と吸引パイプ３と接続パイプ４とサクションホース５と本体６と取っ手７と操作スイッチ８とを備える。
【００１２】
吸込口体２は、開口（図示せず）を備える。当該開口は、下方を向く。吸引パイプ３は、円筒状の真直ぐな部材で形成される。吸引パイプ３は、伸縮自在に形成される。吸引パイプ３の一端部は、吸込口体２の長手方向の中央部に接続される。
【００１３】
接続パイプ４は、途中で折れ曲がった円筒状の部材で形成される。接続パイプ４の一端部は、吸引パイプ３の他端部に接続される。サクションホース５は、蛇腹状の細長い部材で形成される。サクションホース５の一端部は、接続パイプ４の他端部に接続される。
【００１４】
本体６の前部は、サクションホース５の他端部に接続される。
【００１５】
取っ手７は、接続パイプ４に設けられる。操作スイッチ８は、取っ手７に設けられる。操作スイッチ８は、複数のボタンを備える。
【００１６】
図２と図３とに示すように、本体６は、第１収容ユニット９と第２収容ユニット１０と集塵ユニット１１と一対の車輪１２と電源コード１３とを備える。
【００１７】
第１収容ユニット９は、本体６の外郭の前部を形成する。第２収容ユニット１０は、本体６の外郭の後部を形成する。第２収容ユニット１０の前部は、第１収容ユニット９の後部に連結される。集塵ユニット１１は、第１収容ユニット９に着脱自在に設けられる。車輪１２の一方は、第２収容ユニット１０の一側に設けられる。車輪１２の他方は、第２収容ユニット１０の他側に設けられる。電源コード１３は、第２収容ユニット１０に収容される。
【００１８】
図４に示すように、第１収容ユニット９は、吸気風路形成部１４を備える。吸気風路形成部１４は、吸気風路１５を形成する。吸気風路１５は、円形の断面の内周面を有する。吸気風路形成部１４の一端部は、前方に向けて開口する。当該開口は、円形状に形成される。吸気風路形成部１４の一端部は、サクションホース５（図４においては図示せず）の他端部に接続される。吸気風路形成部１４の一他端部は、後方に向けて開口する。当該開口は、円形状に形成される。
【００１９】
第２収容ユニット１０は、排気風路形成部１６を備える。排気風路形成部１６は、排気風路１７を形成する。排気風路形成部１６の一端部は、前方に向けて開口する。第２収容ユニット１０は、電動送風機１８を収容する。電動送風機１８は、排気風路１７に設けられる。
【００２０】
図１から図４において、電源コード１３が電源に接続されると、電動送風機１８等の機器が通電する。この際、操作スイッチ８が操作されると、電動送風機１８は、吸引風を発生させる。当該吸引風により、床面上の塵埃は、空気とともに吸込口体２の開口に吸い込まれる。その後、塵埃を含む空気（含塵空気）は、吸引パイプ３の内部と接続パイプ４の内部とサクションホース５の内部とを通過する。
【００２１】
その後、当該含塵空気は、吸気風路１５を通過する。その後、当該含塵空気は、集塵ユニット１１に到達する。この際、集塵ユニット１１は、サイクロン分離機能を発揮する。その結果、集塵ユニット１１の内部において、当該含塵空気は、旋回する。この際、塵埃は、遠心力により当該含塵空気から分離する。その後、当該塵埃は、集塵ユニット１１に一時的に溜められる。
【００２２】
集塵ユニット１１は、塵埃が取り除かれた清浄空気を排出する。その後、当該清浄空気は、排気風路１７において電動送風機１８を通過する。その後、当該清浄空気は、排気風路１７を進む。その後、当該清浄空気は、排気口（図示せず）から本体６の外部に排出される。
【００２３】
次に、図５から図８を用いて、集塵ユニット１１の取り付けを説明する。
図５はこの発明の実施の形態１における電気掃除機の第１収容ユニットと第２収容ユニットとの斜視図である。図６はこの発明の実施の形態１における電気掃除機の集塵ユニットの斜視図である。図７はこの発明の実施の形態１における電気掃除機の第１収容ユニットと第２収容ユニットと集塵ユニットとの斜視図である。図８はこの発明の実施の形態１における電気掃除機の第１収容ユニットと第２収容ユニットと集塵ユニットとの縦断面図である。
【００２４】
図５に示すように、第１収容ユニット９は、収容部１９を備える。収容部１９は、円筒状に形成される。収容部１９は、上方に向けて開口する。収容部１９は、下方に向けて開口しない。収容部１９の軸は、下方から上方に行くにつれて後方の側に傾斜する。
【００２５】
第２収容ユニット１０は、ハンドル２０を備える。ハンドル２０は、第２収容ユニット１０の幅方向における中央部に設けられる。ハンドル２０は、第２収容ユニットの前方から後方にわたって設けられる。
【００２６】
ハンドル２０は、ガイド部２１を備える。ガイド部２１は、ハンドル２０の前部に形成される。ガイド部２１は、収容部１９の内面に沿って収容部１９の上方に配置される。ガイド部２１は、下方から上方に行くにつれて後方の側に傾斜する。ガイド部２１は、集塵ユニット１１（図５においては図示せず）における第２収容ユニット１０の側の面の形状に合わせて形成される。
【００２７】
図６に示すように、集塵ユニット１１は、持ち手２２を備える。持ち手２２は、集塵ユニット１１の上部に設けられる。持ち手２２は、集塵ユニット１１の上部から側方に突き出す。
【００２８】
図７に示すように、使用者は、持ち手２２を掴んで集塵ユニット１１を収容部１９に収容する。
【００２９】
この際、図８に示すように、持ち手２２は、ガイド部２１とは反対側に配置される。持ち手２２は、ガイド部２１とは反対側に突き出す。使用者は、集塵ユニット１１における第２収容ユニット１０の側をガイド部２１に沿って集塵ユニット１１を下方に移動させる。その結果、集塵ユニット１１は、収容部１９に円滑に挿入される。
【００３０】
次に、図９を用いて、第２収容ユニット１０と集塵ユニット１１との連結を説明する。
図９はこの発明の実施の形態１における電気掃除機の本体の要部の縦断面図である。
【００３１】
図９に示すように、集塵ユニット１１は、連結体２３と操作体２４と弾性体２５とを備える。
【００３２】
連結体２３は、集塵ユニット１１の上部におけるガイド部２１の側に収容される。連結体２３は、凸部を備える。当該凸部は、連結体２３の後部に形成される。当該凸部は、ガイド部２１の基部に連結される。具体的には、当該凸部は、ガイド部２１の基部に形成された凹部に挿入される。
【００３３】
操作体２４は、集塵ユニット１１の上部に収容される。操作体２４の後部は、連結体２３の前部に連結される。操作体２４は、操作部２４ａを備える。操作部２４ａは、連結体２３よりもガイド部２１から離れた位置で集塵ユニット１１の上部から露出する。
【００３４】
弾性体２５は、連結体２３に対してガイド部２１とは反対側に設けられる。例えば、弾性体２５は、コイルスプリングからなる。
【００３５】
弾性体２５は、圧縮することにより連結体２３をガイド部２１の基部に押し付ける。その結果、第２収容ユニット１０と集塵ユニット１１との連結が維持される。
【００３６】
第２収容ユニット１０と集塵ユニット１１との連結を解放する場合、使用者は、操作部２４ａをガイド部２１から離れる方向に操作する。連結体２３は、操作体２４の移動に追従してガイド部２１から離れる方向に移動する。この際、連結体２３は、ガイド部２１の基部との連結から解放される。その結果、第２収容ユニット１０と集塵ユニット１１との連結が解放される。
【００３７】
次に、図１０と図１１とを用いて、集塵ユニット１１を説明する。
図１０はこの発明の実施の形態１における電気掃除機の集塵ユニットの分解斜視図である。図１１はこの発明の実施の形態１における電気掃除機の集塵ユニットの縦断面図である。
【００３８】
図１０に示すように、集塵ユニット１１は、旋回部ケース２６と集塵部ケース２７と隔壁ケース２８と排出部ケース２９と端面ケース３０とを備える。例えば、旋回部ケース２６と集塵部ケース２７と隔壁ケース２８と排出部ケース２９と端面ケース３０とは、成型品からなる。例えば、集塵部ケース２７は、内部を視認し得る透明度の高い樹脂材料で形成される。
【００３９】
集塵部ケース２７と隔壁ケース２８と端面ケース３０とは、旋回部ケース２６に着脱自在に設けられる。排出部ケース２９は、端面ケース３０に連結される。
【００４０】
図１１に示すように、旋回部ケース２６と集塵部ケース２７と隔壁ケース２８と排出部ケース２９と端面ケース３０とは、予め設定された操作により組み立てられる。この際、隔壁ケース２８は、パッキン３１を介して集塵部ケース２７に保持される。集塵ユニット１１は、図１１に示す状態から集塵部ケース２７のみを取り外し得る。
【００４１】
図１１においては、矢印方向が下方である。旋回部ケース２６は、円筒部３２と円錐部３３と流入風路体３４と連通風路体３５と接続部３６と０次開口３７とを備える。
【００４２】
円筒部３２は、中空の円筒状を呈する。円筒部３２の中心軸は、上下方向を向く。円錐部３３の上端部は、円筒部３２の下端部に接続される。円錐部３３は、円筒部３２の下端部から下方に延びる。円錐部３３は、中空の円錐状を呈する。円錐部３３の径は、下方に向かうにつれて小さくなる。円錐部３３の中心軸は、円筒部３２の中心軸と一致する。円筒部３２の内部空間と円錐部３３の内部空間とは一続きになる。当該内部空間は、旋回室３８となる。旋回室３８の側壁の上部は、中心軸方向の全域において円状となる。旋回室３８の側壁の下部は、中心軸方向の全域において円錐状となる。円錐部３３の先端部は、切り取られる。円錐部３３の下端部は、１次開口３９となる。１次開口３９は、円錐部３３の中心軸の方向において下方を向いて開口する。
【００４３】
流入風路体３４は、円筒部３２の上部に接続される。流入風路体３４の内部空間は、流入風路４０を形成する。流入風路体３４の一端部は、集塵ユニット１１の外側を向いて開口する。流入風路体３４の一端部は、集塵ユニット１１の流入口となる。流入風路体３４の他端部は、円筒部３２の内部の側を向いて開口する。流入風路体３４の他端部は、旋回室３８の主流入口に接続される。
【００４４】
連通風路体３５は、円筒部３２の上部を囲む。連通風路体３５の内部空間は、連通風路４１を形成する。連通風路４１は、流入風路４０の上方に設けられる。
【００４５】
接続部３６は、円筒部３２から外側に突き出す。接続部３６は、全体として環状を呈する。例えば、接続部３６は、高さ方向において円筒部３２の中間に配置される。
【００４６】
０次開口３７は、旋回室３８の側壁に形成される。０次開口３７は、旋回室３８の主流入口よりも低い位置に形成される。０次開口３７は、１次開口３９よりも高い位置に形成される。例えば、０次開口３７は、円筒部３２の下端部から円錐部３３の上端部にかけて形成される。例えば、０次開口３７は、接続部３６よりも僅かに低い位置に形成される。
【００４７】
集塵部ケース２７は、底部４２と外壁部４３とを備える。
【００４８】
底部４２は、板状を呈する。底部４２は、全体として円形を呈する。外壁部４３は、底部４２の縁部から直立する。外壁部４３は、全体として円筒形を呈する。外壁部４３の外形は、円筒部３２の外形よりも大きい。底部４２と外壁部４３とは、下方が閉じた円筒状の部材で形成される。集塵部ケース２７の内部空間は、隔壁ケース２８により２つの領域に区切られる。
【００４９】
外壁部４３の上端部は、接続部３６の縁部に下方から接触する。外壁部４３は、隔壁ケース２８と円筒部３２と円錐部３３の各一部との間で一続きの空間を形成する。当該空間は、円筒状を呈する。当該空間は、０次集塵室４４となる。０次集塵室４４の上方は、接続部３６により塞がれる。０次集塵室４４の下方は、底部４２により塞がれる。例えば、０次集塵室４４の最上部は、０次開口３７の近傍に配置される。０次集塵室４４は、０次開口３７から下方に延びる。０次集塵室４４は、旋回室３８の大部分である円筒部３２の下部と円錐部３３を外側から覆う。
【００５０】
隔壁ケース２８は、中空の円筒状を呈する。隔壁ケース２８の径は、円筒部３２の径とほぼ同じである。隔壁ケース２８の上端部は、円錐部３３の外周面または外周面に設けられた部材に下方から接触する。隔壁ケース２８の内部空間において、円錐部３３を除く部分は、１次集塵室４５となる。１次集塵室４５は、円錐部３３を外側から覆う。１次集塵室４５は、０次集塵室４４に囲まれる。１次集塵室４５は、１次開口３９を介して円錐部３３に通じる。
【００５１】
排出部ケース２９は、円筒部３２の上端部に上方に配置される。排出部ケース２９は、円筒部３２の上端部に密着する。排出部ケース２９は、連結部４６と排出部４７とを備える。
【００５２】
排出部ケース２９が旋回部ケース２６に適切に取り付けられると、連結部４６は、円筒部３２の上方を塞ぐ。この際、連結部４６は、旋回室３８の上壁となる。
【００５３】
排出部４７は、連結部４６の一側に設けられる。排出部４７は、連結部４６を貫通する。排出部４７は、連結部４６から下方に突き出す。排出部ケース２９が旋回部ケース２６に適切に取り付けられると、排出部４７は、連結部４６から旋回室３８の内部に突き出す。排出部４７の中心軸は、円筒部３２の中心軸と一致する。例えば、排出部４７の下端は、０次開口３７の一部と同じ高さに配置される。
【００５４】
排出部４７は、円筒部分と円錐部分と備える。円筒部分は、高さ方向において予め設定された中間位置よりも上方に設けられる。円筒部分は、円筒状を呈する。円錐部分は、高さ方向において予め設定された中間位置よりも下方に設けられる。円錐部分は、中空の円錐状を呈する。円錐部分の径は、下方に向かうにつれて小さくなる。
【００５５】
排出部４７は、多数の微細孔を備える。微細孔は、排出口となる。排出口の一部は、０次開口３７の下端よりも上方に設けられる。排出口の一部は、旋回室３８の主流入口と同じ高さにも設けられる。排出口は、旋回室３８の主流入口と対向する位置に設けられない。
【００５６】
端面ケース３０は、集塵ユニット１１の最上部に配置される。端面ケース３０は、流出部４８と連結部４９とを備える。流出部４８は、流出風路４８ａを形成する。連結部４９は、排出部ケース２９の連結部４６に密着する。
【００５７】
集塵ユニット１１において、含塵空気は、流入風路体３４の一端部から流入する。当該含塵空気は、流入風路４０を通過する。当該含塵空気は、旋回室３８の主流入口に到達する。当該含塵空気は、旋回室３８の主流入口を通過する。当該含塵空気は、円筒部３２の内周面に沿うように円筒部３２の内周面の接線方向から流入する。当該含塵空気は、円筒部３２の内周面に沿って予め設定された方向に旋回する旋回気流となる。
【００５８】
流入風路４０において、当該含塵空気の一部は、複数の穴（図１１においては図示せず）を通過する。その後、当該含塵空気の一部は、連通風路４１に流入する。その後、当該含塵空気の一部は、円筒部３２の内部において旋回気流に合流する。
【００５９】
当該旋回気流は、強制渦領域と自由渦領域とを形成する。強制渦領域は、当該旋回気流の軸線近傍に形成される。自由渦領域は、強制渦領域の外側に形成される。当該旋回気流は、経路構造と重力とにより下向きに流れる。
【００６０】
当該旋回気流において、繊維塵埃、毛髪等の比較的嵩の大きな塵埃α（図示せず）は、遠心力により円筒部３２の内周面に押し付けられながら下方に進む。当該塵埃αは、０次開口３７の高さに到達した際に当該旋回気流から分離される。当該塵埃αは、０次開口３７を通過する。当該塵埃αは、０次集塵室４４に送られることにより捕集される。旋回室３８の内部において、空気の一部は遠心力により０次集塵室４４に流入する。
【００６１】
当該旋回気流において、砂塵埃、細かな繊維塵埃等の比較的嵩の小さな塵埃β（図示せず）は、０次開口３７から０次集塵室４４に進入しない。当該塵埃βは、遠心力により円錐部３３の内周面に押し付けられながら下方に進む。当該塵埃βは、１次開口３９を通過する。当該塵埃βは、１次集塵室４５に落下することにより捕集される。
【００６２】
当該旋回気流は、旋回室３８の最下部に到達する。当該旋回気流は、進行方向を上向きに変えて上昇気流となる。当該上昇気流は、旋回室３８の軸線に沿って上昇する。当該上昇気流は、塵埃αおよび塵埃βを含まない清浄空気となる。当該清浄空気は、排出部４７を通過する。当該清浄空気は、流出風路４８ａを通過する。当該清浄空気は、流出風路４８ａから流出する。
【００６３】
次に、図１２から図１５を用いて、流入風路４０を説明する。
図１２はこの発明の実施の形態１における電気掃除機の集塵ユニットの斜視図である。図１３は図１２のＡ部の拡大図である。図１４と図１５とはこの発明の実施の形態１における電気掃除機の集塵ユニットの要部の横断面図である。
【００６４】
図１２から図１５に示すように、流入風路４０の一端部は、円形の開口を有する。当該開口は、吸気風路１５（図１２から図１５においては図示せず）の他端部における円形の開口に合わせて形成される。流入風路４０の一端部は、吸気風路１５の他端部に接続される。
【００６５】
流入風路４０の他端部は、矩形の開口を有する。当該開口は、旋回室３８の矩形の主流入口に合わせて形成される。流入風路４０の他端部は、旋回室３８の矩形の主流入口に接続される。
【００６６】
流入風路４０の内周面の断面は、流入風路４０の一端部の側から他端部の側に向けて円形から矩形に徐々に変化する。
【００６７】
流入風路４０の一側は、吸気風路１５の一側に沿う。流入風路４０の一側は、旋回室３８の接線方向から旋回室３８の主流入口の一側に接続される。流入風路４０の他側は、吸気風路１５の他側から吸気風路１５の軸に近付きながら旋回室３８の主流入口の他側に接続される。
【００６８】
流入風路４０は、複数のリブ５０を備える。リブ５０の各々は、流入風路４０の内周面に形成される。リブ５０の各々の長手方向は、流入風路４０の内周面において含塵空気の流れる方向に設定される。例えば、リブ５０は、流入風路４０の他側における内周面に設けられる。
【００６９】
図１５に示すように、流入風路４０の上面の一部は、平面状に形成される。流入風路４０の上面の一部は、複数の穴５１を備える。複数の穴５１は、連通風路４１（図１５においては図示せず）に通じる。
【００７０】
流入風路４０は、吸気風路１５から流入した含塵空気を旋回室３８へ導く。この際、当該含塵空気の一部は、複数の穴５１を通過する。当該含塵空気の一部は、連通風路４１に到達する。連通風路４１は、流入風路４０の他端部と異なる位置から含塵空気を旋回室３８へ導く。
【００７１】
次に、図１６から図１９を用いて、隔壁ケース２８を説明する。
図１６はこの発明の実施の形態１における電気掃除機の集塵ユニットの要部の斜視図である。図１７はこの発明の実施の形態１における電気掃除機の集塵ユニットの要部の分解斜視図である。図１８と図１９とはこの発明の実施の形態１における電気掃除機の集塵ユニットの要部の横断面図である。
【００７２】
図１６と図１７とに示すように、隔壁ケース２８は、旋回部ケース２６の下部に着脱自在に設けられる。隔壁ケース２８は、２つのリブ５２を備える。リブ５２の各々の長手方向は、隔壁ケース２８の軸の方向に合わせて設定される。隔壁ケース２８は、旋回室３８における含塵空気の旋回方向と同方向に回転させることにより旋回部ケース２６に固定される。隔壁ケース２８が旋回部ケース２６の下部に固定されると、２つのリブ５２は、流入風路４０の側に配置される。
【００７３】
図１８と図１９とに示すように、集塵ユニット１１を上方から見た際に、含塵空気は、左回りに旋回する。この場合、隔壁ケース２８は、上方から見た際に左周りに回転させることにより旋回部ケース２６に固定される。
【００７４】
この際、リブ５２の一方は、集塵部ケース２７の前方の側において０次集塵室４４の下部を区切る。その結果、集塵部ケース２７とリブ５２の一方との間には、わずかな隙間が形成される。
【００７５】
塵埃α（図示せず）は、０次集塵室４４の内部において含塵空気の旋回方向と同方向に移動する。その後、塵埃αは、リブ５２の一方に衝突する。その結果、塵埃αは停止する。
【００７６】
次に、図２０から図２３を用いて、排出部ケース２９と端面ケース３０とを説明する。
図２０はこの発明の実施の形態１における電気掃除機の集塵ユニットの縦断面図である。図２１と図２２とはこの発明の実施の形態１における電気掃除機の排出部ケースと端面ケースとの側面図である。図２３はこの発明の実施の形態１における電気掃除機の排出部ケースの平面図である。
【００７７】
図２０に示すように、排出部ケース２９の排出部４７の中心軸は、旋回室３８の中心軸に合わせて配置される。排出部ケース２９の連結部４６の中心軸は、０次集塵室４４の中心軸に合わせて配置される。端面ケース３０の連結部４９の中心軸は、０次集塵室４４の中心軸に合わせて配置される。
【００７８】
ヒンジ５３は、排出部ケース２９の連結部４６と端面ケース３０の連結部４９との中心軸に対して旋回室３８の中心軸の側とは反対側において、排出部ケース２９の連結部４６の縁部と端面ケース３０との連結部４９の縁部とを連結する。排出部ケース２９と端面ケース３０とが旋回部ケース２６に適切に取り付けられると、ヒンジ５３は外部に露出しない。
【００７９】
図２１と図２２とに示すように、排出部ケース２９は、操作部５４を備える。操作部５４は、排出部ケース２９の外側面においてヒンジ５３とは反対側に設けられる。操作部５４は、操作された際にヒンジ５３とは反対側において排出部ケース２９を端面ケース３０との連結を解放する。
【００８０】
この際、排出部ケース２９は、端面ケース３０に対してヒンジ５３を介して回転する。その結果、排出部ケース２９の内側と端面ケース３０の内側とは、外部に露出する。
【００８１】
図２３に示すように、パッキン５５は、環状に形成される。パッキン５５の長手方向の一側は、排出部ケース２９の排出部４７の上部を囲む。パッキン５５の長手方向の一側は、清浄空気の排出方向に配置される。
【００８２】
ヒンジ５３は、清浄空気の排出方向と直交する方向の側において排出部ケース２９の連結部４６の縁部と端面ケース３０（図２３においては図示せず）の連結部４９（図２３においては図示せず）の縁部とを連結する。
【００８３】
次に、図２４と図２５とを用いて、排出部ケース２９と端面ケース３０との旋回部ケース２６への取り付けを説明する。
図２４と図２５とはこの発明の実施の形態１における電気掃除機の集塵ユニットの側面図である。
【００８４】
図２４に示すように、旋回部ケース２６は、第１表示部５６を備える。第１表示部５６は、旋回部ケース２６の上部の外周面に形成される。例えば、第１表示部５６の形状は、上向きの三角形からなる。
【００８５】
第２表示部５７は、操作部５４の外面に形成される。第２表示部５７は、端面ケース３０に対してヒンジ５３（図２４においては図示せず）を介して排出部ケース２９を回転させる方向を示す。例えば、第２表示部５７の形状は、下向きの三角形からなる。
【００８６】
図２５に示すように、排出部ケース２９と端面ケース３０（図２５においては図示せず）とが旋回部ケース２６に取り付けられると、第２表示部５７は、第１表示部５６と対向する。
【００８７】
以上で説明した実施の形態１によれば、集塵ユニット１１は、流入風路体３４を備える。流入風路体３４は、吸気風路１５の開口と合わせた円形の開口を有した一端部と旋回室３８の主流入口と合わせた矩形の開口を有した他端部とを有する。流入風路体３４は、当該一端部の側から当該他端部の側に向けて徐々に変化した断面となる内周面を有する。流入風路体３４は、吸気風路１５から流入した含塵空気を旋回室３８へ導く。このため、本体６に変換風路を設けることなく、圧損を抑制することができる。その結果、風路を形成する部品の数を少なくすることができる。さらに、風路を形成する部品の気密を確保する部品の数を少なくすることができる。
【００８８】
また、リブ５０は、流入風路体３４の内周面に設けられる。リブ５０の長手方向は、含塵空気が流れる方向に設定される。このため、含塵空気の流れを整えることができる。その結果、流入風路体３４において発生する音を小さくすることができる。
【００８９】
特に、リブ５０は、流入風路体３４の他側における内周面に設けられる。このため、含塵空気の流れが急激に変化する箇所において発生する音を小さくすることができる。
【００９０】
また、複数の穴５１は、連通風路４１に通じる。このため、流入風路４０から旋回室３８に流入する含塵空気の量を減らすことができる。その結果、旋回室３８の主流入口において発生する圧損を抑制することができる。
【００９１】
また、ガイド部２１は、収容部１９の内面に沿って収容部１９の上方に設けられる。集塵ユニット１１は、ガイド部２１に沿って収容部１９に挿入される。このため、集塵ユニット１１を容易に取り付けることができる。
【００９２】
また、ガイド部２１は、集塵ユニット１１における第２収容ユニット１０の側の面に合わせて形成される。このため、使用者が目視し得る位置において、ガイド部２１に対する集塵ユニット１１の位置を容易に合わせることができる。
【００９３】
また、収容部１９とガイド部２１とは、下方から上方に行くにつれて後方の側に傾斜する。このため、集塵ユニット１１の自重を利用して、集塵ユニット１１をガイド部２１に沿わすことができる。
【００９４】
また、連結体２３は、集塵ユニット１１とガイド部２１の基部との連結および連結の解放を行う。このため、集塵ユニット１１は、強度の高いハンドル２０により保持される。この場合、連結体２３にかかる力が一点に集中した際に第２収容ユニット１０が破壊することを抑制できる。
【００９５】
また、操作体２４は、ガイド部２１から離れる方向に操作された際に連結体２３をガイド部２１との連結から解放する。このため、集塵ユニット１１を容易に取り外すことができる。
【００９６】
また、持ち手２２は、集塵ユニット１１の上部においてガイド部２１とは反対側に設けられる。このため、持ち手２２を手掛けにすることにより集塵ユニット１１を容易に取り付けることができる。
【００９７】
また、隔壁ケース２８は、旋回部ケース２６の下部に着脱自在に設けられる。このため、隔壁ケース２８に付着した塵埃を容易に除去することができる。
【００９８】
また、旋回部ケース２６の下部は、円錐状に形成される。このため、隔壁ケース２８を旋回部ケース２６に容易に取り付けることができる。
【００９９】
また、リブ５２は、隔壁ケース２８の外周面に設けられる。このため、リブ５２を手掛けにすることにより隔壁ケース２８を容易に着脱することができる。
【０１００】
また、隔壁ケース２８は、旋回室３８における含塵空気の旋回方向と同方向に回転させることにより旋回部ケース２６の下部に固定される。このため、含塵空気の旋回から受ける力により隔壁ケース２８が旋回部ケース２６に対して緩むことを防止できる。
【０１０１】
また、隔壁ケース２８は、集塵部ケース２７に保持される。このため、電気掃除機１の使用中に隔壁ケース２８が旋回部ケース２６に対して緩むことを防止できる。なお、集塵部ケース２７の内周面にリブを設けてもよい。例えば、集塵部ケース２７が旋回部ケース２６に取り付けられた際にリブ５２に対して含塵空気の旋回方向とは反対側に対向するリブを設ければよい。この場合も、電気掃除機１の使用中に隔壁ケース２８が旋回部ケース２６に対して緩むことを防止できる。
【０１０２】
また、ヒンジ５３は、排出部ケース２９の連結部４６と端面ケース３０の連結部４９との中心軸に対して旋回室３８の中心軸の側とは反対側において、排出部ケース２９の連結部４６の縁部と端面ケース３０の連結部の縁部とを連結する。この場合、空いた領域にヒンジ５３を配置しつつ、排出部ケース２９の排出部４７とヒンジ５３との距離は比較的長くすることができる。このため、ヒンジ５３の配置のために領域を拡げることなく、排出部４７の清掃を容易に行うことができる。特に、水を用いて排出部４７を清掃した際、排出部４７を早く乾かすことができる。これに対し、排出部ケース２９と端面ケース３０とは、ヒンジ５３により連結を維持される。このため、排出部ケース２９と端面ケース３０との組立を容易に行うことができる。
【０１０３】
また、ヒンジ５３は、端面ケース３０から第２収容ユニット１０への清浄空気の排出方向と直交する方向の側において排出部ケース２９の連結部４６の縁部と端面ケース３０の連結部４９の縁部とを連結する。このため、パッキン５５等の清掃を容易に行うことができる。
【０１０４】
また、第２表示部５７は、端面ケース３０に対してヒンジ５３を介して排出部ケース２９を回転させる方向を表示する。第２表示部５７は、排出部ケース２９と端面ケース３０とを旋回部ケース２６の上部に取り付けた際に第１表示部５６と対向する。このため、第２表示部５７を利用して２種類の異なる操作の表示を行うことができる。その結果、表示の煩雑さを避けることができる。この場合、使用者の誤操作を防止することができる。
【０１０５】
また、第２表示部５７は、排出部ケース２９の操作部５４の外面に形成される。このため、使用者が端面ケース３０に対してヒンジ５３を介して排出部ケース２９を回転させる際に使用者が目視し得る位置において、端面ケース３０に対してヒンジ５３を介して排出部ケース２９を回転させる方向を表示することができる。
【符号の説明】
【０１０６】
１  電気掃除機、  ２  吸込口体、  ３  吸引パイプ、  ４  接続パイプ、  ５  サクションホース、  ６  本体、  ７  取っ手、  ８  操作スイッチ、  ９  第１収容ユニット、  １０  第２収容ユニット、  １１  集塵ユニット、  １２  車輪、  １３  電源コード、  １４  吸気風路形成部、  １５  吸気風路、  １６  排気風路形成部、  １７  排気風路、  １８  電動送風機、  １９  収容部、  ２０  ハンドル、  ２１  ガイド部、  ２２  持ち手、  ２３  連結体、  ２４  操作体、  ２４ａ  操作部、  ２５  弾性体、  ２６  旋回部ケース、  ２７  集塵部ケース、  ２８  隔壁ケース、  ２９  排出部ケース、  ３０  端面ケース、  ３１  パッキン、  ３２  円筒部、  ３３  円錐部、  ３４  流入風路体、  ３５  連通風路体、  ３６  接続部、  ３７  ０次開口、  ３８  旋回室、  ３９  １次開口、  ４０  流入風路、  ４１  連通風路、  ４２  底部、  ４３  外壁部、  ４４  ０次集塵室、  ４５  １次集塵室、  ４６  連結部、  ４７  排出部、４８  流出部、  ４９  連結部、  ５０  リブ、  ５１  穴、  ５２  リブ、  ５３  ヒンジ、  ５４  操作部、  ５５  パッキン、  ５６  第１表示部、  ５７  第２表示部
【図１】
0006413884.tif 000002
【図２】
0006413884.tif 000003
【図３】
0006413884.tif 000004
【図４】
0006413884.tif 000005
【図５】
0006413884.tif 000006
【図６】
0006413884.tif 000007
【図７】
0006413884.tif 000008
【図８】
0006413884.tif 000009
【図９】
0006413884.tif 000010
【図１０】
0006413884.tif 000011
【図１１】
0006413884.tif 000012
【図１２】
0006413884.tif 000013
【図１３】
0006413884.tif 000014
【図１４】
0006413884.tif 000015
【図１５】
0006413884.tif 000016
【図１６】
0006413884.tif 000017
【図１７】
0006413884.tif 000018
【図１８】
0006413884.tif 000019
【図１９】
0006413884.tif 000020
【図２０】
0006413884.tif 000021
【図２１】
0006413884.tif 000022
【図２２】
0006413884.tif 000023
【図２３】
0006413884.tif 000024
【図２４】
0006413884.tif 000025
【図２５】
0006413884.tif 000026